(57)【要約】      （修正有）【課題】金糸挿入用縫合針を提供する。【解決手段】金糸挿入用縫合針２００は、一側に先鋭なエッジ部２４０を備えたニードルボディー２２０と、前記エッジ部上に提供され、金糸を引っ掛けるための上部金糸引っ掛け溝２６０と、上部金糸引っ掛け溝と対向して前記ニードルボディーの他側下部の外周面に提供される下部金糸引っ掛け溝と、前記ニードルボディーの他側端部に着脱可能に結合されるハンドル部と、を含むことを特徴とする。【選択図】図４
2020025852.tif 000002
【特許請求の範囲】
【請求項１】
金糸挿入用縫合針において、
一側に先鋭なエッジ部を備えたニードルボディーと、
前記エッジ部上に提供され、金糸を引っ掛けるための上部金糸引っ掛け溝と、
上部金糸引っ掛け溝と対向して前記ニードルボディーの他側下部の外周面に提供される下部金糸引っ掛け溝と、
前記ニードルボディーの他側端部に着脱可能に結合されるハンドル部と、
を含むことを特徴とする金糸挿入用縫合針。
【請求項２】
前記金糸の上部端部は、前記上部金糸引っ掛け溝内に前記金糸が挿入されて引っ掛かるように上部縒り部を形成し、
前記金糸の下部端部は、前記下部金糸引っ掛け溝内に前記金糸が挿入されて引っ掛かるように下部縒り部を形成することを特徴とする請求項１に記載の金糸挿入用縫合針。
【請求項３】
前記上部縒り部及び前記下部縒り部は、前記金糸を前記上部金糸引っ掛け溝及び前記下部金糸引っ掛け溝内に引っ掛ける前に形成されるか、又は前記金糸を前記上部金糸引っ掛け溝及び前記下部金糸引っ掛け溝内に引っ掛けた後に形成されることを特徴とする請求項２に記載の金糸挿入用縫合針。
【請求項４】
前記エッジ部は、円錐状で具現されるか、又は円筒状の一部が三角形状の平面で具現されることを特徴とする請求項１に記載の金糸挿入用縫合針。
【請求項５】
前記金糸挿入用縫合針は、前記下部金糸引っ掛け溝に代えて、前記下部金糸引っ掛け溝の位置に提供される下部金糸把持用マークを含み、前記金糸の下部端部は、前記下部金糸把持用マーク上に位置した状態で使用されることを特徴とする請求項１に記載の金糸挿入用縫合針。
【請求項６】
前記ハンドル部は、前記ニードルボディーの他側端部に着脱可能に結合される結合突出部をさらに備えることを特徴とする請求項１〜５のいずれか一項に記載の金糸挿入用縫合針。
【請求項７】
前記ハンドル部又は前記結合突出部は、弾性材質で具現されることを特徴とする請求項６に記載の金糸挿入用縫合針。
【請求項８】
金糸挿入用縫合針において、
一側に平坦な上部面が形成された先鋭なエッジ部を備えたニードルボディーと、
前記平坦な上部面上に提供され、金糸を引っ掛けるための上部金糸引っ掛け溝と、
前記上部金糸引っ掛け溝と並列方向に、前記ニードルボディーの他側下部の外周面に提供される下部金糸引っ掛け溝と、
前記ニードルボディーの他側端部に着脱可能に結合されるハンドル部と、
を含み、
前記下部金糸引っ掛け溝は、前記ニードルボディーの他側下部の外周面に対向して提供される第１及び第２の下部金糸引っ掛け溝のいずれか一つ又は両方で具現されることを特徴とする金糸挿入用縫合針。
【請求項９】
前記金糸は、第１金糸及び第２金糸のいずれか一つ又は両方を含み、
前記第１金糸の上部端部は、前記上部金糸引っ掛け溝内に前記第１金糸が挿入されて引っ掛かるように第１上部縒り部を形成し、前記第１金糸の下部端部は、前記第１下部金糸引っ掛け溝内に前記第１金糸が挿入されて引っ掛かるように第１下部縒り部を形成し、
前記第２金糸の上部端部は、前記上部金糸引っ掛け溝内に前記第２金糸が挿入されて引っ掛かるように第２上部縒り部を形成し、前記第２金糸の下部端部は、前記第２下部金糸引っ掛け溝内に前記第２金糸が挿入されて引っ掛かるように第２下部縒り部を形成することを特徴とする請求項８に記載の金糸挿入用縫合針。
【請求項１０】
前記第１及び第２の上部縒り部並びに前記第１及び第２の下部縒り部は、前記第１及び第２の金糸を前記上部金糸引っ掛け溝並びに前記第１及び第２の下部金糸引っ掛け溝内に引っ掛ける前に形成されるか、又は前記第１及び第２の金糸を前記上部金糸引っ掛け溝並びに前記第１及び第２の下部金糸引っ掛け溝内に引っ掛けた後に形成されることを特徴とする請求項９に記載の金糸挿入用縫合針。
【請求項１１】
前記金糸挿入用縫合針は、前記第１及び第２の下部金糸引っ掛け溝に代えて、前記第１及び第２の下部金糸引っ掛け溝の位置に提供される第１及び第２の下部金糸把持用マークを含み、前記第１及び第２の金糸の下部端部は、前記第１及び第２の下部金糸把持用マーク上に位置した状態で使用されることを特徴とする請求項９に記載の金糸挿入用縫合針。
【請求項１２】
前記ハンドル部は、前記ニードルボディーの他側端部に着脱可能に結合される結合突出部をさらに備えることを特徴とする請求項８〜１１のいずれか一項に記載の金糸挿入用縫合針。
【請求項１３】
前記ハンドル部又は前記結合突出部は、弾性材質で具現されることを特徴とする請求項１２に記載の金糸挿入用縫合針。
【発明の詳細な説明】
【技術分野】
【０００１】
本発明は金糸挿入用縫合針に関する。より詳しくは、本発明は、例えば、脱毛治療用金糸を頭皮の施術部位に正確かつ容易に挿入でき、挿入された金糸が施術部位で固定状態を維持して離脱が防止できる金糸挿入用縫合針に関する。
【背景技術】
【０００２】
一般的に、人体には、様々な病気に対する抵抗力はもちろん、自らの力で病気を治す自浄治癒能力があるといわれている。自浄治癒能力とは、人体内で自然に発生して健康を維持させることであって、例えば、風邪などで体が熱くなった場合、毛穴を開き、体内の熱を汗に乗せて体外に排出することで平熱にすることや、傷んだものを食べた場合や飲み過ぎた場合、嘔吐を起こすことで体を正常な状態に保つことなどがある。
【０００３】
なお、人体の皮下層にも自浄治癒物質（以下「自生物質」という。）がある。前記自生物質は、皮下層内部に異物が侵入したとき、異物の周辺に集まって異物から皮下組織を保護するために生成される。結果的に見て、前記自生物質は、皮下層内部の筋肉を強化させる機能を有するため、この機能を用いて、埋線療法と薬糸刺入療法といった治療法が開発されている。
【０００４】
薬糸刺入療法とは、刺入キットを用いて、人体に無害な糸（外科吸収性縫合糸）を人体の穴位及び痛みや病症を引き起こす部位、又は美容を必要とするしわやたるみの部位に刺入させる療法である。前記薬糸刺入療法は、針を人体内に刺入すると、糸が針に沿って皮下層内部に挿入され、針を人体内から抜き取ると、糸が針から分離されて人体内の挿入部位に残される。したがって、前記薬糸刺入療法は、皮膚切開後に糸を挿入し縫合する埋線療法に比べて、施術が簡単であり、患者の負担が少ない利点がある。
【０００５】
しかし、従来の刺入キットにより体内に挿入された糸は、吸収性縫合糸であり、太さが細くて薄いため、皮下組織に入った糸の総表面積が小さいだけではなく、６ヶ月後には溶けるため、自生物質の生成量が小さいという問題がある。また、糸が人体内に挿入される過程において、糸が鋭い針の刃端部に切れたりすり減るという問題があった。
【０００６】
上述した問題を解決するための一つの方案として、特許文献１には、吸収性縫合糸と金糸から構成される医療用糸により、自生物質の生成量を増加させるとともに長期に亘って使用でき、それによるコストの削減とともに自生物質を長期間生成でき、また、針の先端に糸案内溝を設けることで、人体内に針挿入時、前記医療用糸が切れたりすり減ることが防止できるだけでなく、指定された施術位置まで前記医療用糸を挿入できる医療用糸挿入装置が開示されている（以下「従来の技術」という）。
【０００７】
図１は、従来の技術に係る医療用糸挿入装置の分解構成図を示す図であり、図２ａは、従来の技術に係る医療用糸挿入装置及び部分断面図を示す図である。
【０００８】
図１及び図２ａを参照すると、従来の医療用糸挿入装置１００は、一側先端に傾斜部１１２を備え、前記傾斜部１１２から長手方向の内側へ形成された中空部（図示せず）を備えた注射針１１０と、前記注射針１１０の他側先端に装着される針固定部１２０と、前記注射針１１０の前記中空部（図示せず）内に一部が挿入され、もう一部が前記注射針１１０の外部に配置される吸収性縫合糸１３２、及び前記中空部（図示せず）内に一部が挿入され、もう一部が前記注射針１１０の外部に配置される前記吸収性縫合糸１３２を前記注射針１１０に固定及び支持する金糸１３２からなる医療用糸１３０と、前記注射針１１０及び医療用糸１３０を保護するカバー１４０と、を含んでいる。前記注射針１１０の先端には、人体への挿入を容易にする傾斜部１１２が備えられている。また、針固定部１２０は、金属又は合成樹脂で製作され、注射針１１０の他端に装着されることで、注射針１１０の把持を容易にするハンドルとして機能する。
【０００９】
また、医療用糸１３０は、一部が前記注射針１１０の傾斜部１１２の内部に形成された中空部（図示せず）内に挿入され、もう一部が外部に配置される吸収性縫合糸１３２と、前記吸収性縫合糸１３２を注射針１１０の外部に固定及び支持させる金糸１３４と、からなる。図２ａの例示から分かるように、医療用糸１３０を構成する吸水性縫合糸１３２は、注射針１１０の長手方向の外面に沿って配置され、金糸１３４は、吸収性縫合糸１３２の外側からコイル状に注射針１１０の長手方向に沿って巻回されて配置されるか、又は吸収性縫合糸１３２と金糸１３４が縒り構造を有するように構成されて配置されても良い。
【００１０】
図２ｂは、従来の技術に係る医療用糸挿入装置の使用状態を示す図である。
【００１１】
図２ｂを参照すると、まず、医療用糸挿入装置１００を構成するカバー１４０を取り外した後、前記注射針１１０を施術しようとする筋肉部位に密着させる。次に、針固定部１２０を加圧し、医療用糸１３０が備えられた注射針１１０を人体に挿入する。医療用糸１３０が備えられた注射針１１０を人体に挿入すると、前記注射針１１０に具備された医療用糸１３０も人体内の注射針１１０挿入位置までに移動することになる。次に 、注射針１１０に具備された医療用糸１３０が人体内に挿入された状態で、注射針１１０を後退させて人体から抜き取ると、医療用糸１３０は、人体内に固定され、人体に自生物質を生成することになる。
【００１２】
上述したように、従来の技術では、医療用糸１３０は、注射針１１０の作動に応じて人体内部に挿入された後、人体内部の自生物質が医療用糸１３０の周辺に集まるように誘導する。したがって、従来の技術では、自生物質により筋肉を強化させる原理を用いることにより、しわのある皮膚に弾力を付与することになる。
【００１３】
上述した従来の技術に用いられる医療用糸１３０を構成する金糸１３４は、人や動物の損傷した筋肉に異物として挿入されることにより、自生物質が損傷部位に集まるように誘導し、破損した部位がより早く治癒されるようにしている。このような金糸は、純金を髪の毛のように細くして薬用に処理された金糸を意味するものである。このような金糸は、極小の直径（０．１０〜０．２ｍｍ）で滅菌処理されており、注射針の取り換えが可能な注入器を用いて、人体の適応経穴又は圧痛点部位の皮下筋肉に注入されることにより、疾病を予防し治療する特殊針法に使用されていることが知られている。
【００１４】
しかし、上述した従来の技術の医療用糸挿入装置１００では、医療用糸１３０を構成する吸水性縫合糸１３２の一部及び金糸１３４の一部が注射針１１０の内部に挿入されなければならないため、注射針１１０の一側先端に提供される傾斜部１１２に中空部（図示せず）を形成する必要がある。この場合、注射針１１０は、人体の皮膚に挿入されなければならないため、約１〜１．５ｍｍの極小直径の長い円筒状で具現される。しかし、注射針１１０の傾斜部１１２に中空部（図示せず）を形成することは不可能なことではないが、実質的に非常に困難であり、超微細加工技術が求められるため、注射針１１０の製造コストが大きく増加する。
【００１５】
また、注射針１１０の傾斜部１１２に中空部（図示せず）を形成する場合、約１〜１．５ｍｍ直径の注射針１１０に形成された極小直径の中空部（図示せず）内に吸収性縫合糸１３２の一部及び金糸１３４の一部を挿入することも、非常に困難であるという問題が生じる。
【００１６】
さらに、従来の技術の医療用糸挿入装置１００は、吸収性縫合糸１３２及び金糸１３４で構成された医療用糸１３０を挿入するためのものであり、金糸１３４のみを挿入する装置として使用するには適していない。
【００１７】
一方、他の従来の技術として、脱毛治療用金糸を含むデュアル縫合針セットが開発され、使用されている。
【００１８】
図３は、他の従来の技術として、脱毛治療用金糸を含むデュアル縫合針セットを示す図である。このような他の従来の技術に係るデュアル縫合針セットは、本発明者らにより「金糸を含む脱毛治療用デュアル縫合針セット」という発明の名称として、２０１６年１月２８日付で出願（韓国特許出願第１０−２０１６ー００１０４５１号）され、２０１７年１月１０日付で登録された特許文献２に詳しく記述されている。
【００１９】
図３を参照すると、従来の技術に係る脱毛治療用デュアル縫合針セットは、金糸を含んで複数本からなる縫合糸２０と、前記縫合糸２０の一端が挿入設置される第１縫合針１０と、前記縫合糸２０の他端が挿入設置される第２縫合針３０と、を含み、前記第１及び第２の縫合針１０，３０は、その一端に針部１２，３２が形成され、他端に前記縫合糸２０が挿入設置されるように所定の深さの設置溝１４，３４が形成され、互いに異なる長さを有し、所定の角度で折り曲げられた折曲部１６，３６を含み、前記折曲部１６，３６は、前記第１及び第２の縫合針１０，３０の設置溝１４，３４の内側に隣接して位置する。
【００２０】
上述した従来の技術のデュアル縫合針セットは、縫合糸２０が、非吸収性縫合糸２４の金糸が吸収性縫合糸２２の外面に所定の間隔で１本以上巻回されて使用されることにより、毛髪の生成と発育を促進する。また、縫合糸２０の両端に挿入設置された折曲状の長短縫合針セットを用いるため、施術を簡便に行うことができるという利点が達成されるが、以下のような問題を残している。
【００２１】
前記従来の技術のデュアル縫合針セットで用いられる縫合糸２０は、非吸収性縫合糸２４の金糸が、吸収性縫合糸２２の外面に所定の間隔で１本以上巻回されるように構成される。吸水性縫合糸２２及び非吸収性縫合糸２４を一つの縫合糸のように取り扱うためには、１）縫合糸２０の端部に所定の熱と圧力を加えて圧着することにより、相対的に直径の大きい吸収性縫合糸２２に直径の小さい非吸収性縫合糸２４（つまり、金糸）が密着されなければならず、２）縫合糸２０の端部が、第１及び第２の縫合針１０，３０の設置溝１４，３４に容易に挿入設置されるように、圧着部２６を含まなければならない。したがって、従来の技術のデュアル縫合針セットでは、縫合糸２０自体の製造が容易ではなく、その製造コストが増加するという問題が生じる
【００２２】
また、従来の技術のデュアル縫合針セットでは、長さの長い第１縫合針１０を髪の毛又は毛のある施術部位の生体組織に挿入し、抜き取る過程を繰り返し、施術部位の生体組織を縫合した後、第１縫合針１０を抜き取った穴を通して長さの短い第２縫合針３０を抜き取ってから、糸結びをし、その結び目を穴を通して挿入して、施術を完了する。したがって、従来の技術のデュアル縫合針セットは、１）２つの縫合針１０，３０を使用しなければならず、２）第１縫合針１０を抜き取った穴を通して第２縫合針３０を抜き取らなければならず、３）糸結びをし、その結び目を穴を通して挿入しなければならないため、全体の施術が複雑かつ困難であるという問題が生じる。
【００２３】
したがって、上述した問題を解決できる新しい方案が求められる。
【先行技術文献】
【特許文献】
【００２４】
【特許文献１】韓国特許第１０−１７４８７５５号（２０１７年６月１３日登録）
【特許文献２】韓国特許第１０−１６９６８５５号（２０１７年１月１０日登録）
【発明の概要】
【発明が解決しようとする課題】
【００２５】
本発明は、上述した問題を解決するためになされたものであり、例えば、脱毛の治療用金糸を頭皮の施術部位に正確かつ容易に挿入でき、挿入された金糸が施術部位で固定状態を維持して離脱が防止できる金糸挿入用縫合針を提供するものである。
【課題を解決するための手段】
【００２６】
本発明の第１実施形態に係る金糸挿入用縫合針は、一側に先鋭なエッジ部を備えたニードルボディーと、前記エッジ部上に提供され、金糸を引っ掛けるための上部金糸引っ掛け溝と、上部金糸引っ掛け溝と対向して前記ニードルボディーの他側下部の外周面に提供される下部金糸引っ掛け溝と、前記ニードルボディーの他側端部に着脱可能に結合されるハンドル部と、を含むことを特徴とする。
本発明の第２実施形態に係る金糸挿入用縫合針は、一側に平坦な上部面が形成された先鋭なエッジ部を備えたニードルボディーと、前記平坦な上部面上に提供され、金糸を引っ掛けるための上部金糸引っ掛け溝と、前記上部金糸引っ掛け溝と並列方向に、前記ニードルボディーの他側下部の外周面に提供される下部金糸引っ掛け溝と、前記ニードルボディーの他側端部に着脱可能に結合されるハンドル部と、を含み、前記下部金糸引っ掛け溝は、前記ニードルボディーの他側下部の外周面に対向して提供される第１及び第２の下部金糸引っ掛け溝のいずれか一つ又は両方で具現されることを特徴とする。
【発明の効果】
【００２７】
本発明に係る金糸挿入用縫合針は、次のような効果を奏する。
１．従来の技術とは異なり、金糸の一部がニードルボディーの内部に挿入されないため、ニードルボディーの長手方向に沿って内部に中空部を形成する必要がない。
２．それにより、金糸挿入用縫合針の製造が非常に簡単になるため、その製造コスト及び時間が顕著に減少する。
３．従来の技術とは異なり、金糸の一部がニードルボディーの内部に挿入されるか、又は２つの縫合針が使用されるのに代えて、金糸がニードルボディーのエッジ部に形成された上部金糸引っ掛け溝及びニードルボディーの下部に提供される下部金糸引っ掛け溝に引っ掛かり状態で使用されるため、縫合針の使用が非常に容易かつ簡便である。
４．被施術者の頭皮（皮膚）に２つの金糸を同時に挿入することが可能であるため、施術時間を短縮できる。
【００２８】
本発明の他の利点は、同一の又は類似した参照符号が同一の構成要素に付されている添付図を参照して、以下の説明から明白に理解することができる。
【図面の簡単な説明】
【００２９】
【図１】従来の技術に係る医療用糸挿入装置の分解構成図を示す図である。
【図２ａ】従来の技術に係る医療用糸挿入装置及び部分断面図を示す図である。
【図２ｂ】従来の技術に係る医療用糸挿入装置の使用状態を示す図である。
【図３】従来の技術に係る医療用糸挿入装置の使用状態を示す図である。
【図４】本発明の第１実施形態に係る金糸挿入用縫合針を示す斜視図である。
【図５】図４に示された本発明の第１実施形態に係る金糸挿入用縫合針に金糸が装着されている状態及びハンドル部がニードルボディーの下端部に結合されていない状態を示す図である。
【図６】図４に示された本発明の第１実施形態に係る金糸挿入用縫合針に金糸が装着されている状態及びハンドル部がニードルボディーの下端部に結合されている状態を示す図である。
【図７】図４に示された本発明の第１実施形態に係る金糸挿入用縫合針のエッジ部の他の実施形態を示す図である。
【図８】本発明の第２実施形態に係る金糸挿入用縫合針を示す斜視図である。
【発明の実施するための形態】
【００３０】
以下、本発明に係る好ましい実施形態を示す図を参照して、本発明を詳しく説明する。
【００３１】
図４は、本発明の第１実施形態に係る金糸挿入用縫合針を示す斜視図であり、図５は、図４に示された本発明の第１実施形態に係る金糸挿入用縫合針に金糸が装着されている状態及びハンドル部がニードルボディーの下端部に結合されていない状態を示す図であり、図６は、図４に示された本発明の第１実施形態に係る金糸挿入用縫合針に金糸が装着されている状態及びハンドル部がニードルボディーの下端部に結合されている状態を示す図である。
【００３２】
図４〜図６を参照すると、本発明の第１実施形態に係る金糸挿入用縫合針２００は、一側に先鋭なエッジ部２４０を備えたニードルボディー２２０と、前記エッジ部２４０上に提供され、金糸３００を引っ掛けるための上部金糸引っ掛け溝２６０と、上部金糸引っ掛け溝２６０と対向して、前記ニードルボディー２２０の他側下部に提供される下部金糸引っ掛け溝２６２と、前記ニードルボディー２２０の他側下部に着脱可能に結合されるハンドル部２２５と、を含む。
【００３３】
本発明の第１実施形態に係る金糸挿入用縫合針２００において、金糸３００の上部端部は、前記上部金糸引っ掛け溝２６０内に金糸３００が挿入されて引っ掛かるように上部縒り部３１０を形成し、金糸３００の下部端部は、前記下部金糸引っ掛け溝２６２内に金糸３００が挿入されて引っ掛かるように下部縒り部３２０を形成する。このような上部縒り部３１０及び下部縒り部３２０は、金糸３００を上部金糸引っ掛け溝２６０及び下部金糸引っ掛け溝２６２内に引っ掛ける前に形成されるか、又は金糸３００を上部金糸引っ掛け溝２６０及び下部金糸引っ掛け溝２６２内に引っ掛けた後に形成されても良いことに留意しなければならない。
【００３４】
また、本発明の第１実施形態に係る金糸挿入用縫合針２００において、前記エッジ部２４０は、例えば円錐状を有するが、これに限定されないことに留意しなければならない。
【００３５】
図４に示すように、本発明の第１実施形態に係る金糸挿入用縫合針２００のエッジ部２４０上に提供される上部金糸引っ掛け溝２６０は、縫合針２００を人体皮膚内の施術位置に挿入してから抜き取るとき、上部金糸引っ掛け溝２６０内に位置した金糸３００がエッジ部２４０から容易に分離されるように、下方向（つまり、ニードルボディー２２０の上部金糸引っ掛け溝２６０から下部金糸引っ掛け溝２６２の方向）へ深く凹だ形状を有することが好ましい。
【００３６】
一方、ハンドル部２２５は、ニードルボディー２２０の他側下部に着脱可能に結合されても良い。このため、ハンドル部２２５は、ニードルボディー２２０の他側下部に着脱可能に結合される結合突出部２２５ａを備えることができる。このようなハンドル部２２５又は結合突出部２２５ａは、ニードルボディー２２０の他側下部と結合時、下部金糸引っ掛け溝２６２を覆うように結合されるが（図６を参照）、必ず下部金糸引っ掛け溝２６２を覆うように結合される必要はない。また、ハンドル部２２５に提供される結合突出部２２５ａは、オプションであり、必ず必要となるものではなく、例えば、ハンドル部２２５自体がニードルボディー２２０の他側下部に着脱可能に結合されても良い。この場合、ハンドル部２２５及び／又は結合突出部２２５ａは、ゴム、ポリウレタン、弾性プラスチックなどの弾性材質で具現されることが好ましいが、これらに限定されないことに留意しなければならない。
【００３７】
一方、図４〜図６に示された本発明の第１実施形態では、金糸３００の下部端部に下部縒り部３２０を形成することにより、下部金糸引っ掛け溝２６２内に金糸３００が挿入されて引っ掛かる構成が例示されている。しかし、当業者であれば、前記下部金糸引っ掛け溝２６２の位置において、下部金糸引っ掛け溝２６２に代えて、下部金糸把持用マーク（図示せず）が提供されて使用されても良いことを十分に理解できるはずである。この場合、金糸３００の下部端部が下部金糸把持用マーク（図示せず）上に位置した状態で、施術者が前記下部縒り部３２０を把持し、金糸挿入用縫合針２００を用いて施術を行うことができる。
【００３８】
以下では、上述した本発明の第１実施形態に係る金糸挿入用縫合針２００の具体的な使用方法を説明する。
【００３９】
まず、上部金糸引っ掛け溝２６０及び下部金糸引っ掛け溝２６２内に金糸３００が挿入されて引っ掛かるように、所定の長さを有する金糸３００の上部端部及び下部端部に上部縒り部３１０及び下部縒り部３２０を形成する。
【００４０】
次に、上部縒り部３１０を上部金糸引っ掛け溝２６０に引っ掛け、下部縒り部３２０を下部金糸引っ掛け溝２６２に引っ掛ける。上述したように、下部金糸引っ掛け溝２６２に代えて、下部金糸把持用マーク（図示せず）が提供されて使用される場合は、金糸３００の下部端部が下部金糸把持用マーク（図示せず）上に位置した状態で、施術者が前記下部縒り部３２０を把持する。
【００４１】
次に、ハンドル部２２５及び／又は結合突出部２２５ａをニードルボディー２２０の他側下部に結合する。この場合、ハンドル部２２５及び／又は結合突出部２２５ａは、下部金糸引っ掛け溝２６２を覆ってもよく、覆わなくても良い。
【００４２】
次に、施術者は、縫合針２００のハンドル部２２５を把持し、被施術者の皮膚（例えば、頭皮）の施術位置までに縫合針２００のエッジ部２４０を挿入する。この場合、金糸３００の上部は、上部金糸引っ掛け溝２６０内に引っ掛かり状態を維持し、また金糸３００の下部は、下部金糸引っ掛け溝２６２内に引っ掛かり状態を維持する。下部金糸把持用マーク（図示せず）が使用される場合は、金糸３００の下部端部が下部金糸把持用マーク（図示せず）上に位置した状態で、施術者が前記下部縒り部３２０を把持した状態を維持する。
【００４３】
次に、施術者は、下部縒り部３２０を用いて、金糸３００の下部金糸引っ掛け溝２６２における締結状態を解除する。仮に、ハンドル部２２５及び／又は結合突出部２２５ａが下部金糸引っ掛け溝２６２を覆った場合は、金糸３００の下部金糸引っ掛け溝２６２における締結状態を解除する前に、ハンドル部２２５及び／又は結合突出部２２５ａをニードルボディー２２０の他側下部方向に沿って移動させ、下部金糸引っ掛け溝２６２を露出させる。
【００４４】
次に、施術者がニードルボディー２２０を、施術位置から縫合針２００の針先が位置した外部頭皮又は肌を押さえながら後退させ排出させると、金糸３００の上部が上部金糸引っ掛け溝２６０内の引っ掛かり状態から解除され、金糸３００が施術位置に固定される。
【００４５】
上述したように、本発明の第１実施形態に係る縫合針２００は、例えば、被施術者の頭皮下のＳＭＡＳ（Superficial Musculoaponeurotic System：表在性筋膜群）層に金糸３００を挿入するゴールドリフティング施術用として使用されても良い。この場合、金糸３００は、被施術者の人体内で異物反応を誘導することにより、天然コラーゲンを生成させ、皮膚内の毛細血管の生成を誘導する。特に、生成されたコラーゲンは、外部から強制的に注入されたものではなく、人体皮膚内で自ら生成されたものであるため、しわ取り、皮膚の弾力性向上及び皮膚トーンの改善に副作用がなく、その効果の持続時間も長いという利点を有する。
【００４６】
図７は、図４に示された本発明の第１実施形態に係る金糸挿入用縫合針のエッジ部の他の実施形態を示す図である。
【００４７】
図７を参照すると、本発明の第１実施形態に係る金糸挿入用縫合針２００は、図４に示された円錐状のエッジ部２４０の一部が三角形状の平面２４０ａで具現されても良い。この場合、上部金糸引っ掛け溝２６０が三角形状の平面２４０ａ上に提供される。
【００４８】
図８は、本発明の第２実施形態に係る金糸挿入用縫合針を示す斜視図である。
【００４９】
図８を参照すると、本発明の第２実施形態に係る金糸挿入用縫合針２００は、一側に平坦な上部面２６０ｂが形成された先鋭なエッジ部２４０を備えたニードルボディー２２０と、前記平坦な上部面２６０ｂ上に提供され、金糸３００を引っ掛けるための上部金糸引っ掛け溝２６０と、前記上部金糸引っ掛け溝２６０と並列方向に、前記ニードルボディー２２０の他側下部に提供される下部金糸引っ掛け溝２６２と、前記ニードルボディー２２０の他側下部に着脱可能に結合されるハンドル部２２５と、を含み、前記下部金糸引っ掛け溝２６２は、前記ニードルボディー２２０の他側下部に対向して提供される第１及び第２の下部金糸引っ掛け溝２６２ａ，２６２ｂのいずれか一つ又は両方で具現される。
【００５０】
本発明の第２実施形態に係る金糸挿入用縫合針２００は、上部金糸引っ掛け溝２６０が、ニードルボディー２２０のエッジ部２４０の上部に設けられる平坦な上部面２６０ｂ上に提供されること、及びニードルボディー２２０の他側下部に第１及び第２の下部金糸引っ掛け溝２６２ａ，２６２ｂのいずれか一つ又は両方が提供されることを除いては、図４〜図６に示す本発明の第１実施形態に係る金糸挿入用縫合針２００と実質的に同一であることに留意しなければならない。
【００５１】
図８に示された本発明の第２実施形態に係る金糸挿入用縫合針２００では、上部金糸引っ掛け溝２６０が、ニードルボディー２２０のエッジ部２４０の上部に設けられる平坦な上部面２６０ｂ上に提供されるため、第１金糸３００ａの第１上部縒り部３１０ａ及び第２金糸３００ｂの第２上部縒り部３１０ｂが、上部金糸引っ掛け溝２６０に引っ掛かることに対し、第１金糸３００ａの第１下部縒り部３２０ａは、第１下部金糸引っ掛け溝２６２ａに引っ掛かり、第２金糸３００ｂの第２下部縒り部３２０ｂは、第２下部金糸引っ掛け溝２６２ｂに引っ掛かるようにすることにより、図８に示された本発明の第２実施形態に係る金糸挿入用縫合針２００を用いて、２つの金糸３００ａ，３００ｂを同時に施術することができる。しかし、当業者であれば、図８に示された本発明の第２実施形態に係る金糸挿入用縫合針２００において、第１上部縒り部３１０ａが上部金糸引っ掛け溝２６０に引っ掛かり、第１下部縒り部３２０ａが第１下部金糸引っ掛け溝２６２ａに引っ掛かる第１金糸３００ａのみが使用されるか、又は第２上部縒り部３１０ｂが上部金糸引っ掛け溝２６０に引っ掛かり、第２下部縒り部３２０ｂが第２下部金糸引っ掛け溝２６２ｂに引っ掛かる第２金糸３００ｂのみが使用されても良いことを十分に理解できるはずである。つまり、図８に示された実施形態の縫合針２００は、施術部位に第１及び第２の金糸３００ａ，３００ｂのいずれか一つ又は両方の挿入に使用される。
【００５２】
また、図４〜図６に示された本発明の第１実施形態と同様に、図８に示された本発明の第２実施形態においても、第１及び第２の下部金糸引っ掛け溝２６２ａ，２６２ｂの位置に、第１及び第２の下部金糸引っ掛け溝２６２ａ，２６２ｂに代えて、第１及び第２の下部金糸把持用マーク（図示せず）が提供されて使用されても良いことを十分に理解できるはずである。
【００５３】
なお、上述した本発明の実施形態に係る縫合針２００は、脱毛を治療するために頭皮に金糸３００を挿入する用途として使用することが例示されているが、当業者であれば、被施術者の頭皮以外の皮膚に金糸を挿入するための用途として使用しても良いことを十分に理解できるはずである。
【００５４】
上述した本発明の実施形態に係る縫合針２００は、１）従来の技術とは異なり、金糸３００の一部がニードルボディー２２０の内部に挿入されないため、ニードルボディー２２０の長手方向に沿って内部に中空部を形成する必要がなく、２）それにより、金糸挿入用縫合針２００の製造が非常に簡単になるため、その製造コスト及び時間が顕著に減少し、３）従来の技術とは異なり、金糸３００の一部がニードルボディー２２０の内部に挿入されるか、又は２つの縫合針が使用されるのに代えて、金糸２００がニードルボディー２２０のエッジ部２４０に形成された上部金糸引っ掛け溝２６０及びニードルボディー２２０の下部に提供される下部金糸引っ掛け溝２６２に引っ掛かり状態で使用されるため、縫合針２００の使用が非常に容易かつ簡便であり、４）被施術者の頭皮（皮膚）に２つの金糸３００ａ，３００ｂを同時に挿入することが可能であるため、施術時間を短縮できる。
【００５５】
本発明の範囲を逸脱することなく、様々な変形例が本明細書に記載及び例示される構成及び方法によりなされるため、上述の説明に含まれた又は添付図面に示されるすべての事項は、限定ではなく例示として理解されるべきである。したがって、本発明の範囲は、上述した例示的な実施形態によって限定されるべきではなく、本明細書に添付された以下の特許請求の範囲及びその均等物に従ってのみ定められるべきである。
【符号の説明】
【００５６】
１００  医療用糸挿入装置
１１０  注射針
１１２  傾斜部
１２０  針固定部
１３０  医療用糸
１３２  吸収性縫合糸
１３４，３００，３００ａ，３００ｂ  金糸
１４０  カバー
２００  縫合針
２２０  ニードルボディー
２２５  ハンドル部
２２５ａ  結合突出部
２４０  エッジ部
２４０ａ  三角形状の平面
２４０ｂ  平坦な上部面
２６０，２６０ａ  上部金糸引っ掛け溝
２６２，２６２ａ，２６２ｂ  下部金糸引っ掛け溝
３１０，３１０ａ，３１０ｂ  上部縒り部
３２０，３２０ａ，３２０ｂ  下部縒り部
【図１】
2020025852.tif 000003
【図２ａ】
2020025852.tif 000004
【図２ｂ】
2020025852.tif 000005
【図３】
2020025852.tif 000006
【図４】
2020025852.tif 000007
【図５】
2020025852.tif 000008
【図６】
2020025852.tif 000009
【図７】
2020025852.tif 000010
【図８】
2020025852.tif 000011